(57)【要約】【課題】主に事務所用，レジ用で使用されているタイプのセロハンテープディスペンサーの，カッター部分で生じる指などのケガをしにくくし，その他の何らかのカッター部分への衝撃における損傷や刃こぼれを防ぐ。【解決手段】本考案を事務所用，レジ用で使用されているタイプのセロハンテープディスペンサーに装着することにより，２本の針金部品１によってカッター部分５の露出が間接的になり，カッター部分５による指や人体等へのケガをしにくくし，外部からの何らかの衝撃による刃こぼれも起こりにくくなる。【選択図】図１
0003130985.tif 000002
【実用新案登録請求の範囲】
【請求項１】
主に事務所用，又はコンビニ，スーパーマーケット等のレジにて使用されているタイプの，セロハンテープディスペンサーのネック部分に本考案を装着し，カッター部分の露出を和らげることで，セロハンテープの引き出し時や，カッター部分への不意な衝撃による指や人体等へのケガを防止し，かつ，カッター部分への何らかの直接的な衝撃から，刃こぼれの防止をする器具である。内側へ挟む力を持つ２本の針金の先端にゴム部品を取り付けて，内側へ挟んで装着するため脱落しにくく，ネック部分の厚みを考慮することなく装着ができる。２本の針金部品に丸みを与える事で，セロハンテープの引き出し時やカット時に、指の甲が針金部品に接触しても違和感無く使用できる。
【考案の詳細な説明】
【技術分野】
【０００１】
本考案は、主に事務所用，又はレジ用で使用されているタイプの，セロハンテープディスペンサーのカッター部分による指や人体へのケガと，カッター部分の刃こぼれを防止する器具に関するものである。
【背景技術】
【０００２】
従来の事務所用，又はコンビニ，スーパーマーケット等のレジで使用されているタイプの，セロハンテープディスペンサーは，カッター部分による指や人体等へのケガを防止する形状にはなっておらず，外付けの保護器具等が装着されていない。
【考案の開示】
【考案が解決しようとする課題】
【０００３】
セロハンテープディスペンサーのカッター部分が，金属製の細かなギザギザ状であるにもかかわらず，刃が剥き出しになっているため，使用時，不使用時を問わず指や人体等へケガを負ったり，カッター部分への，何らかの直接的な衝撃により刃こぼれが生じやすい，という問題点があった。本考案はこの課題を解消するためになされたものである。
【課題を解決するための手段】
【０００４】
セロハンテープディスペンサーのカッター下部のネック部分２を本考案で上側から挟み込むことで，２本の針金部品１がカッター部分５の周囲を間接的に覆い，刃の剥き出しの状態を和らげ，外部からカッター部分５へ接触しにくくすることが，最も重要な特徴である。
【考案の効果】
【０００５】
セロハンテープディスペンサーのセロハンテープの引き出し時に目測を誤り，指などが直接刃に当たりそうな場合でも，２本の針金部品１が刃の周囲を間接的に覆っているため，指が接触しにくくケガを防ぐ効果がある。また，外部からによる何らかのカッター部分５への衝撃も防御し，刃こぼれを防ぐ。カッター下部のネック部分２を，ゴム質部品４のついた内側へ挟む力を持つ２本の針金部品１で挟んで装着するため外れにくく，常時装着が可能であり，不使用時の不意なカッター部分５への接触に対しても，人体等へのケガや刃こぼれを防ぐ。上部に空間３が開いていることで通常の使用に全く影響は無く，装着時にカッター部分５の両端がやや狭くなることで，使用者に，正確，丁寧にセロハンテープを引き出すことを意識させ，理想的な使用を促すことができる。２本の針金部品１に丸みを与える事で，セロハンテープの引き出し時とカット時に、指の甲が針金部品に接触しても違和感無く使用できる。
【実施例１】
【０００６】
図１は、本考案をセロハンテープディスペンサーに装着，使用している斜視図である。
【図面の簡単な説明】
【０００７】
【図１】本考案の使用状態を表す斜視図である。
【図２】本考案の使用状態を表す側面拡大図である。
【図３】本考案の正面図である。
【図４】本考案の側面図である。
【図５】本考案の針金部品が位置する部分の側面断面図である。
【符号の説明】
【０００８】
１    針金部品
２    カッター下部のネック部分
３    上部の空間
４    ゴム質部品
５    カッター部分
【図１】
0003130985.tif 000003
【図２】
0003130985.tif 000004
【図３】
0003130985.tif 000005
【図４】
0003130985.tif 000006
【図５】
0003130985.tif 000007
【手続補正書】
【提出日】平成19年2月13日(2007.2.13)
【手続補正１】
【補正対象書類名】実用新案登録請求の範囲
【補正対象項目名】全文
【補正方法】変更
【補正の内容】
【実用新案登録請求の範囲】
【請求項１】
内側へ挟む力を持つU字型の２本の針金の両端に、固定用のゴム質部品を装着することを特徴とする、セロハンテープディスペンサー用カッター保護器具。
【手続補正２】
【補正対象書類名】明細書
【補正対象項目名】０００１
【補正方法】変更
【補正の内容】
【０００１】
本考案は、従来使用されているセロハンテープディスペンサーのカッター部分５による指や人体へのケガを防止する器具に関するものである。
【手続補正３】
【補正対象書類名】明細書
【補正対象項目名】０００２
【補正方法】変更
【補正の内容】
【０００２】
従来使用されているタイプのセロハンテープディスペンサーは、カッター部分５による指や人体等へのケガを防止する様な形状にはなっていない。
【手続補正４】
【補正対象書類名】明細書
【補正対象項目名】０００３
【補正方法】変更
【補正の内容】
【０００３】
セロハンテープディスペンサーのカッター部分５が外部へ剥き出しになっているため，接触により指や人体等へケガを負いやすいという問題点があった。本考案はこの課題を解消するためになされたものである。
【手続補正５】
【補正対象書類名】明細書
【補正対象項目名】０００４
【補正方法】変更
【補正の内容】
【０００４】
本考案でセロハンテープディスペンサーのカッター下部のネック部分２を上側から挟み込むことで，２本の針金部品１がカッター部分５の周囲を間接的に覆うため，外部からカッター部分５へ接触しにくくなることが，最も重要な特徴である。
【手続補正６】
【補正対象書類名】明細書
【補正対象項目名】０００５
【補正方法】変更
【補正の内容】
【０００５】
セロハンテープディスペンサーのセロハンテープの引き出し時に，指などが直接カッター部分５に当たりそうな場合でも，２本の針金部品１がカッター部分５の周囲を間接的に覆っているため，指がカッター部分５へ接触しにくくケガを防ぐ効果があり、カッター下部のネック部分２を固定用のゴム質部品４がついた、内側へ挟む力を持つ２本の針金部品１で挟んで装着するため外れにくく常時装着が可能であり，上部に空間３があるのでセロハンテープの引き出し、カット、共に違和感なく通常通りに行える。即ち、本考案によってセロハンテープディスペンサーの使用時、不使用時にかかわらずカッター部分５へ接触しにくくなりケガを防ぐ事が可能となった。
【手続補正７】
【補正対象書類名】明細書
【補正対象項目名】０００６
【補正方法】変更
【補正の内容】
【０００６】
図１本考案をセロハンテープディスペンサーに装着している斜視図において、通常セロハンテープを引き出しカットする場合は、上部の空間３を通りカッター部分５でカットしてセロハンテープを使用する訳だが、セロハンテープを引き出しカットする際に目測を誤り指の甲がカッター部分５に接触しそうな場合でも、２本の針金部品１がカッター部分５の周囲を覆っているため、指の甲が２本の針金部品１に当たりカッター部分５まで届かず接触しにくくなり、カッター部分５で起こる指のケガを防ぐ事が出来る。
【手続補正８】
【補正対象書類名】明細書
【補正対象項目名】０００７
【補正方法】変更
【補正の内容】
【０００７】
【図１】本考案の装着状態を表す斜視図である。
【図２】本考案の装着状態を表す側面拡大図である。
【図３】本考案の正面図である。
【図４】本考案の側面図である。
【図５】本考案の針金部品が位置する部分の側面断面図である。